(57)【特許請求の範囲】
【請求項１】
ポット本体に貯液した内容液が沸騰したとき、該ポット本体に内蔵した沸騰サーモスイッチを開成してヒータによる加熱を中止する電気ポットであって、
上記ポット本体の口部に対して嵌合可能に設けられ、該口部の後側縁部に対して上下開閉自在に枢着された蓋部に、該ポット本体の内部と外部とを連通する蒸気通路を形成し、
上記蓋部の前側嵌合面に、該蓋部の前側嵌合面と上記蒸気通路内とに熱伝導体を露出して設け、
上記熱伝導体と対向する口部の前側嵌合面に、上記口部に対して蓋部を嵌合した際に上記熱伝導体に対接される沸騰サーモスイッチを露出して設け、
上記口部の前側上面部に、上記沸騰サーモスイッチが閉成される方向に対して可撓可能に形成された操作部を設けたことを特徴とする
電気ポット。
【請求項２】
ポット本体に貯液した内容液が沸騰したとき、該ポット本体に内蔵した沸騰サーモスイッチを開成してヒータによる加熱を中止する電気ポットであって、
上記ポット本体の口部に対して嵌合可能に設けられ、該口部の後側縁部に対して上下開閉自在に枢着された蓋部に、該ポット本体の内部と外部とを連通する蒸気通路を形成し、
上記口部と蓋部との前側嵌合面に、上記口部に対して蓋部を嵌合した際に互いに対接される対の熱伝導体を露出して設け、
上記蓋部側の熱伝導体を、上記蒸気通路内に対して露出した状態に設け、
上記口部側の熱伝導体を、該口部に内蔵した沸騰サーモスイッチに連設し、
上記口部の前側上面部に、上記沸騰サーモスイッチが閉成される方向に対して可撓可能に形成された操作部を設けたことを特徴とする
電気ポット。
【請求項３】
上記熱伝導体の対接面を、互いに面待遇で対接される平面形状に形成した
請求項２記載の電気ポット。
【請求項４】
上記熱伝導体の対接面を、互いに合致する凹状面と凸状面とに形成した
請求項２記載の電気ポット。
【発明の詳細な説明】
【０００１】
【発明の属する技術分野】
この発明は、例えば水道水等の内容液に含まれる薬剤（例えばカルキ）が発する臭いや味を除去することのできる電気ポットに関する。
【０００２】
【従来の技術】
従来、上述の電気ポットは、例えばポット本体に貯液した内容液をヒータにより所定温度に加熱すると、湯沸サーモスイッチが開成され、ヒータによる加熱が中止される機能を備えている。
【０００３】
【発明が解決しようとする課題】
しかし、上述の湯沸サーモスイッチは、確実に開成する温度（例えば約９５℃〜約９７℃）に予め設定しているので、内容液が沸騰されず、内容液に含まれる薬剤（例えばカルキ）を完全に除去することができない。
【０００４】
そこで、湯沸サーモスイッチの他に、内容液が沸騰したときに開成する沸騰サーモスイッチを設けることで、沸騰サーモスイッチが作動するまで、内容液を加熱することができるが、その沸騰サーモスイッチを閉成するための操作手段を設けなければならない。
【０００５】
また、沸騰時に発生する蒸気が手に接触するのを防止するため、蓋部の後部側に設けた蒸気通路を介して大気側に排気するが、ポット本体の前部側に設けた操作部と、後部側に設けた沸騰サーモスイッチとの間を伝達部材（例えばレバー、アーム）で連結しなければならず、内部構造が複雑となるだけでなく、部品数が多くなるため、組付け作業に手間及び時間が掛かる。且つ、伝達部材に撓みや変形が生じやすく、沸騰サーモスイッチを確実に閉成することが困難であるという問題点を有している。
【０００６】
他の方法として、例えばマイコン等の制御手段により温度制御する方法があるが、上述のサーモスイッチよりも回路構成が複雑であり、高価であるため、製作コストが高くなるという問題点を有している。
【０００７】
この発明は上記問題に鑑み、口部と蓋部との嵌合面に露出した対の熱伝導体又は熱伝導体と沸騰サーモスイッチとを対接して、蒸気及び雰囲気の熱を沸騰サーモスイッチに伝搬することにより、沸騰温度に達したとき加熱が即中止され、過沸騰を防止することができる。且つ、構造及び回路が簡単であり、製造コストの低減を図ることができる電気ポットの提供を目的とする。
【０００８】
【課題を解決するための手段】
請求項１記載の発明は、ポット本体に貯液した内容液が沸騰したとき、該ポット本体に内蔵した沸騰サーモスイッチを開成してヒータによる加熱を中止する電気ポットであって、上記ポット本体の口部に対して嵌合可能に設けられ、該口部の後側縁部に対して上下開閉自在に枢着された蓋部に、該ポット本体の内部と外部とを連通する蒸気通路を形成し、上記蓋部の前側嵌合面に、該蓋部の前側嵌合面と上記蒸気通路内とに熱伝導体を露出して設け、上記熱伝導体と対向する口部の前側嵌合面に、上記口部に対して蓋部を嵌合した際に上記熱伝導体に対接される沸騰サーモスイッチを露出して設け、上記口部の前側上面部に、上記沸騰サーモスイッチが閉成される方向に対して可撓可能に形成された操作部を設けた電気ポットであることを特徴とする。
【０００９】
請求項２記載の発明は、ポット本体に貯液した内容液が沸騰したとき、該ポット本体に内蔵した沸騰サーモスイッチを開成してヒータによる加熱を中止する電気ポットであって、上記ポット本体の口部に対して嵌合可能に設けられ、該口部の後側縁部に対して上下開閉自在に枢着された蓋部に、該ポット本体の内部と外部とを連通する蒸気通路を形成し、上記口部と蓋部との前側嵌合面に、上記口部に対して蓋部を嵌合した際に互いに対接される対の熱伝導体を露出して設け、上記蓋部側の熱伝導体を、上記蒸気通路内に対して露出した状態に設け、上記口部側の熱伝導体を、該口部に内蔵した沸騰サーモスイッチに連設し、上記口部の前側上面部に、上記沸騰サーモスイッチが閉成される方向に対して可撓可能に形成された操作部を設けた電気ポットであることを特徴とする。
【００１０】
請求項３記載の発明は、上記請求項２記載の構成と併せて、上記熱伝導体の対接面を、互いに面待遇で対接される平面形状に形成した電気ポットであることを特徴とする。
【００１１】
請求項４記載の発明は、上記請求項２記載の構成と併せて、上記熱伝導体の対接面を、互いに合致する凹状面と凸状面とに形成した電気ポットであることを特徴とする。
【００１２】
【作用】
請求項１記載の電気ポットは、口部と蓋部とを嵌合して、相互の前側嵌合面に露出した熱伝導体と沸騰サーモスイッチとを直接対接することで、蒸気通路内に導入される蒸気と、その蒸気で加熱された雰囲気との熱が、熱伝導体から沸騰サーモスイッチに直接伝搬され、沸騰サーモスイッチが即開成して、ヒータによる加熱を中止するので、沸騰した内容液が得られる。口部の前側上面部に設けられた操作部を操作（例えば指で押圧）して沸騰サーモスイッチを閉成し、その閉成に基づいてヒータで内容液を加熱沸騰させ、内容液に含まれる薬剤（例えばカルキ）を熱処理する。
【００１３】
請求項２記載の電気ポットは、口部と蓋部とを嵌合して、相互の前側嵌合面に露出した対の熱伝導体を対接することで、蒸気通路内に導入される蒸気と、その蒸気で加熱された雰囲気との熱が、対の熱伝導体を介して沸騰サーモスイッチに伝搬され、沸騰サーモスイッチが開成して、ヒータによる加熱を中止するので、沸騰した内容液が得られる。口部の前側上面部に設けられた操作部を操作（例えば指で押圧）して沸騰サーモスイッチを閉成し、その閉成に基づいてヒータで内容液を加熱沸騰させ、内容液に含まれる薬剤（例えばカルキ）を熱処理する。
【００１４】
請求項３記載の電気ポットは、上記請求項２記載の作用と併せて、熱伝導体を面待遇で対接することで、蒸気通路内に導入される蒸気及び雰囲気の熱が、沸騰サーモスイッチに対して効率よく伝搬される。
【００１５】
請求項４記載の電気ポットは、上記請求項２記載の作用と併せて、熱伝導体の凹状面と凸状面とを互いに合致することで、面待遇で対接するよりも接触面積が大きく、熱伝導効率が良い。
【００１６】
【発明の効果】
この発明によれば、口部と蓋部との前側嵌合面に露出した対の熱伝導体を対接したり、熱伝導体と沸騰サーモスイッチとを直接対接したりして、蒸気及び雰囲気の熱を沸騰サーモスイッチに伝搬するので、蒸気通路内の蒸気を含む雰囲気が外部に漏洩するのを防止することができる。且つ、熱損失が少なく、雰囲気の熱が効率よく伝搬されるため、沸騰温度に達したとき、ヒータによる加熱が即中止され、過沸騰を防止することができる。
【００１７】
しかも、熱伝導体と沸騰サーモスイッチとを直接対接して熱伝導するので、熱損失が少なく、伝搬時間が短くなるため、沸騰温度に達すると略同時に、ヒータによる加熱が即中止され、過沸騰を防止することができる。
【００１８】
さらに、操作部を操作して、沸騰サーモスイッチを直接的に開成するので、任意時に於いて内容液を確実に熱処理することができ、内部構造が簡素化され、部品数が少なくなるため、組付け作業が簡単且つ容易に行え、作業性が向上する。且つ、従来例のような制御手段よりも安価なサーモスイッチを用いるので、回路構成が簡単となり、製造コストの低減を図ることができる。
【００１９】
さらにまた、対の熱伝導体を面待遇で対接するので、蒸気及び雰囲気の熱が熱伝導体の対接面全体により伝導され、沸騰サーモスイッチに対して効率よく伝搬することができる。
【００２０】
さらにまた、熱伝導体の凹状面と凸状面とを合致することで、相互の対接位置及び対接面積が変位するのを防止することができ、熱伝導が安定して行える。且つ、面待遇で対接するよりも接触面積が大きく、沸騰サーモスイッチに対して雰囲気の熱を効率よく伝搬することができる。
【００２１】
【実施例】
この発明の一実施例を以下図面に基づいて詳述する。
図面は沸騰型の電気ポットを示し、図１、図２、図３に於いて、電気ポット１は、ポット本体２の内部に、上面が開口された内容器３を収容し、ポット本体２及び内容器３の開口側周縁部に口部４を嵌着固定し、口部４の上面側開口部に、蓋部５を開閉可能に取付けている。
【００２２】
内容器３の底部側外周面には、主ヒータ６ａと沸騰ヒータ６ｂとを備えたヒータ６を装着しており、ヒータ６は、内容器３に貯液した内容液Ａ（例えば水道水）を加熱沸騰させる。その沸騰した内容液Ａは、後述するエアポンプ１９のポンプ動作により、内容器３の底部に接続した連通管７を介して、口部４の前側下面に設けた注出口８から注出される。
【００２３】
上述の口部４は、後側縁部に形成した枢着部９に、蓋部５の後端側を支軸１０により上下開閉可能に枢着し、前側縁部に形成した係止部１１には、蓋部５の前端側に枢着したロックレバー１２を係止して、蓋部５を、口部４の上面側開口部に対して嵌合した状態（閉塞状態）に固定する。
【００２４】
蓋部５の下面側に固定した内蓋１３は、内容器３の内周縁部と略対応する大きさ及び形状に形成され、内蓋１３の外周縁部に嵌着した合成ゴム製のシールリング１４は、内容器３の内周縁部に対して気密状態に圧接される。
【００２５】
蓋部５と内蓋１３との対向面間に形成した蒸気通路１５は、内容器３内に放出された蒸気Ｓを、後部側（枢着部９）に向けて誘導する後部通路１５ａと、前部側（注出口８）に向けて誘導する前部通路１５ｂとで構成され、後部通路１５ａは、蓋部５の後側上面部に形成した排気孔１７と連通している。
【００２６】
蒸気通路１５の略中央部に形成した開口部１５ｃは、内蓋１３の略中央部に形成した孔部１３ａ…と連通され、開口部１５ｃの下面側には、球体１６を対向して保持し、上面側には、後述する弁体２１を対向して配設している。
【００２７】
前述の蓋部５に内蔵したベローズ式のエアポンプ１９は、周知の構成を有しているので、詳細な説明を省略する。蓋部５の上面側中央部に挿入した操作部２０を押下して、ポンプ本体１９ａの下端側中央部に取付けた合成ゴム製の弁体２１を、開口部１５ｃの上面側周縁部に対して気密状態に圧接し、ポンプ本体１９ａの圧縮動作により供給されるエアの圧力で内容液Ａを注出する。
【００２８】
一方、操作部２０の押下を解除して、ポンプ本体１９ａを圧縮前の状態に復元させ、その圧縮及び復元の繰り返しにより、内容液Ａを任意量注出する。一方、開口部１５ｃを開放すると、内容器３内の蒸気Ｓが後部通路１５ａと、前部通路１５ｂとに導入される。
【００２９】
注出口８の注出側に保持した略球状の弁体２２は、例えばポット本体２が前方に揺動又は傾動したとき、通路を閉塞する。その弁体２２よりも奥の方に保持した略円錐形状の弁体２３は、例えばポット本体２が横転したとき、内容液Ａの圧力で通路を閉塞するので、内容液Ａの漏洩を確実に防止することができる。
【００３０】
前述の口部４及び蓋部５には、図４にも示すように、口部４の前側嵌合面に形成した取付け孔４ａに、後述する熱伝導体２７と対向して熱伝導体２４を露出した状態に固定しており、取付け孔４ａと熱伝導体２４との対向面は、耐熱性を有する合成ゴム製のシールリング２５で気密状態を保持している。
【００３１】
熱伝導体２４の露出側上端部は、口部４の前側嵌合面と略同一となる高さに露出され、略平坦となる平面形状に形成している。且つ、熱伝導体２４の下端部は、口部４の前側内部に取付けた略板状を有する熱伝導部材２６の一端側上面に固定され、その熱伝導部材２６の他端側上面には、後述する沸騰サーモスイッチ３１を固定している。
【００３２】
一方、蓋部５の前側嵌合面に形成した取付け孔５ａには、上述の熱伝導体２７を露出した状態に固定しており、取付け孔５ａと熱伝導体２７との対向面は、耐熱性を有する合成ゴム製のシールリング２８で気密状態を保持し、そのシールリング２８は、口部４と蓋部５とを嵌合したとき、取付け孔４ａの上面側周縁部に対して気密状態に圧接される。
【００３３】
熱伝導体２７は、シールリング２８と、後述する熱伝導部材２９との弾性により熱伝導体２４に圧接され、熱伝導体２７の下端部は、取付け孔５ａよりも下方に突出した状態に露出され、上述の熱伝導体２４に対して面待遇で対接される平面形状に形成している。且つ、熱伝導体２７の上端部は、前部通路１５ｂ内に突出され、該通路内の雰囲気と接触する状態に露出している。
【００３４】
熱伝導体２７の中間部は、前部通路１５ｂ内に固定した弾性を有する板状の熱伝導部材２９の遊端側下面に固定され、熱伝導体２７を、取付け孔５ａよりも下方に突出し、上述の熱伝導体２４と対接する状態に支持（又は付勢）している。
【００３５】
なお、熱伝導体２４，２７及び熱伝導部材２６，２９は、熱伝導率の高い金属（例えばアルミニウム、銅又はその他の材質）で形成している。また、前部通路１５ｂ内に露出した熱伝導体２７の端部外面に、例えば突起、羽根、孔等を複数形成してもよく、表面積が大きくなるため雰囲気の熱が効率よく伝導される。
【００３６】
さらにまた、熱伝導体２４を、口部４の嵌合面よりも上方に突出した状態に露出し、熱伝導体２７を、蓋部５の嵌合面と略同一となる高さに露出してもよい。
【００３７】
口部４の前側上面部に形成した操作部３０は、沸騰サーモスイッチ３１のスイッチ部３１ａを押下する方向及び角度に対して可撓可能に形成され、その操作部３０と、その近傍に配列した沸騰ランプＬ１及び保温ランプＬ２の上面全体を、透明又は半透明に形成した軟質樹脂製の保護シート３０ａで被覆している。
【００３８】
図５は、ヒータ６の制御回路を示し、ヒータ６は、内容液Ａを沸騰又は湯沸するための主ヒータ６ａと、内容液Ａを保温するための保温ヒータ６ｂとで構成され、ヒータ６ａ，６ｂは並列に接続され、主ヒータ６ａは、沸騰サーモスイッチ３１（手動復帰型）と、湯沸サーモスイッチ３２とに並列して接続され、サーモスイッチ３１，３２は、ヒータ６の温度過昇を防止するための温過防止サーモスイッチ３３を介して電源ライン３４，３５に接続している。
【００３９】
保温ヒータ６ｂは、サーモスイッチ３２とサーモスイッチ３３との中間に接続され、サーモスイッチ３３を介して電源ライン３４，３５に接続している。
【００４０】
また、沸騰ランプＬ１と保温ランプＬ２とは直列して電源ライン３４，３５に接続され、そのランプＬ１，Ｌ２の中間と、主ヒータ６ａとサーモスイッチ３１，３２との中間とを接続している。なお、回路中Ｒ１，Ｒ２は抵抗であり、３６はヒューズである。
【００４１】
沸騰サーモスイッチ３１は、開成時の作動温度を、内容液Ａが蒸発気化する温度（例えば約１００℃）に設定している。一方、湯沸サーモスイッチ３２は、内容器３の底部側下面に装着され、開成時の作動温度を、沸騰温度（約１００℃）よりも低い温度（例えば約９５℃前後）に設定している。なお、サーモスイッチ３１，３２の作動温度を、上述の温度以下又は以上に設定してもよい。
【００４２】
図示実施例は上記の如く構成するものにして、以下、電気ポット１に貯液された内容液Ａを沸騰するときの操作方法を説明する。
先ず、内容液Ａを常温から沸騰させる場合、図１、図２に示すように、口部４と蓋部５とを嵌合して、熱伝導体２４，２７を面待遇で対接した状態にロックレバー１２で固定する。電源ライン３４，３５を外部電源に接続すると、サーモスイッチ３２，３３は閉成されているので、主ヒータ６ａ及び保温ヒータ６ｂが通電され、内容液Ａが加熱沸騰される。なお、湯沸中は、湯沸ランプＬ１が点灯し、保温ランプＬ２は消灯状態に維持される。
【００４３】
内容液Ａが所定の温度（例えば約９５℃前後）に上昇すると、湯沸サーモスイッチ３２が開成（例えば湯沸温度に達したときから約３０秒〜約６０秒で作動）され、主ヒータ６ａの通電を遮断するので、加熱が中止される。同時に、保温ランプＬ２が点灯し、湯沸ランプＬ１が消灯する。
【００４４】
次に、内容液Ａに含まれる薬剤（例えばカルキ）を熱処理（例えば分解）する場合、図４に示すように、操作部３０を指で押圧して、沸騰サーモスイッチ３１のスイッチ部３１ａを手動によりＯＮ操作して閉成状態に復帰させるので、主ヒータ６ａに通電され、内容液Ａが加熱沸騰される。
【００４５】
沸騰サーモスイッチ３１が作動するまで、内容液Ａを、所定の温度（例えば約１００℃）に加熱沸騰するので、内容液Ａに含まれる薬剤（例えばカルキ）が熱処理され、薬剤が発する特有の臭いや味が除去される。
【００４６】
沸騰時に於いて、蒸発気化した蒸気Ｓは、内蓋１３の孔部１３ａ…と、蒸気通路１５の開口部１５ｃとを介して通路１５ａ，１５ｂに分流され、後部通路１５ａに導入される蒸気Ｓは、排気孔１７を介して大気側に排気される。
【００４７】
一方、前部通路１５ｂに導入される蒸気Ｓと、その蒸気Ｓで加熱された雰囲気との熱で、通路内に露出した熱伝導体２７を加熱し、その熱を、熱伝導体２４，２７と、熱伝導部材２６とを介して、沸騰サーモスイッチ３１に伝導又は伝搬するので、沸騰サーモスイッチ３１に対する熱伝搬時間が湯沸サーモスイッチ３２よりも遅く、沸騰サーモスイッチ３１は、沸騰維持時間（例えば約１２０秒）を経て作動する。
【００４８】
沸騰サーモスイッチ３１に伝搬される蒸気Ｓの温度が、所定の温度（例えば約１００℃）になると、沸騰サーモスイッチ３１が開成され、主ヒータ６ａの通電を遮断するので、加熱沸騰が中止される。
【００４９】
以上のように、電気ポット１を構成する口部４と蓋部５との嵌合面に露出した熱伝導体２４，２７を対接して、蒸気通路１５内に導入される蒸気Ｓを含む雰囲気の熱を沸騰サーモスイッチ３１に伝搬するので、蒸気通路１５内の雰囲気が外部に漏洩するのを防止することができる。
【００５０】
且つ、熱伝導体２４，２７と沸騰サーモスイッチ３１とを近接しているので、相互の距離及び熱伝導部材２６が短く、熱損失が少ないため、雰囲気の熱が効率よく伝搬されると共に、沸騰温度に達すると、ヒータ６による加熱が即中止されるので、過沸騰を防止することができる。
【００５１】
しかも、操作部３０を指で押圧操作して、沸騰サーモスイッチ３１を直接的に開成するので、任意時に於いて内容液Ａを確実に熱処理することができ、内部構造が簡素化され、部品数が少なくなるため、組付け作業が簡単且つ容易に行え、作業性が向上する。且つ、従来例のような制御手段よりも安価なサーモスイッチ３１，３２，３３を使用するので、回路構成が簡単となり、製造コストの低減を図ることができる。
【００５２】
さらに、熱伝導体２４，２７を面待遇で対接するので、蒸気Ｓ及び雰囲気の熱が熱伝導体２４，２７の対接面全体を介して、沸騰サーモスイッチ３１に対して効率よく伝搬することができる。
【００５３】
図６は、凸状に形成した熱伝導体２４の圧接面２４ａと、凹状に形成した熱伝導体２７の圧接面２７ａとを合致する他の実施例を示し、熱伝導体２４，２７の対接位置及び対接面積が変位するのを防止することができ、熱伝導が安定して行える。且つ、平面的に対接するよりも接触面積が大きく、熱損失が少ないため、沸騰サーモスイッチ３１に対して雰囲気の熱を効率よく伝搬することができる。
【００５４】
図７は、口部４の前側嵌合周面に露出した熱伝導体２４に、蓋部５の前側嵌合周面に突出した熱伝導体２７を対接するその他の実施例を示し、相互の対接面に水滴が残留しにくく、熱伝導に適した状態に保持されるので、上述の実施例と略同等の作用効果を奏することができる。なお、熱伝導体２７は、前部通路１５ｂに圧入した抜止め部材３７で抜止め固定し、シールリング２８の弾性により熱伝導体２４に対接される方向に付勢している。
【００５５】
図８は、口部４の前側嵌合面に突出した熱伝導体２４を、蓋部５の前側嵌合面の一部を構成する熱伝導体３８に対接するその他の実施例を示し、熱伝導体３８は、前部通路１５ｂを閉塞する部材の下面側に対して気密状態に固定され、その内面側は、前部通路１５ｂ内の雰囲気と接触する状態に露出している。また、前部通路１５ｂを閉塞する部材全体を、熱伝導性を有する材質で構成してもよい。
【００５６】
前部通路１５ｂの雰囲気の熱を、熱伝導体２４，３８及び熱伝導部材２６とを介して沸騰サーモスイッチ３１に伝搬するので、上述の実施例と略同等の作用効果を奏することができる。
【００５７】
なお、上述の熱伝導体２７（又は熱伝導体２４）を、例えばコイルスプリング、合成ゴム等の弾性体により他方の伝導体に対接される方向に付勢してもよい。
【００５８】
図９は、口部４の前側嵌合面に露出した沸騰サーモスイッチ３１に、蓋部５の前側嵌合面に突出した熱伝導体２７を直接対接するその他の実施例を示し、前部通路１５ｂ内に導入した雰囲気の熱を、熱伝導体２７から沸騰サーモスイッチ３１に直接伝導するので、熱損失が少なく、伝導及び伝搬の効率が向上する。沸騰温度に達すると略同時に、ヒータ６による加熱が即中止されるので、上述の実施例と略同等又は以上の作用効果を奏することができる。
【００５９】
内容液Ａを熱処理する場合、操作部３０の下面側に形成したカム部３０ｂにより、口部４の前側内部に枢着した操作レバー３９を介して、沸騰サーモスイッチ３１のスイッチ部３１ａをＯＮ操作する。
【００６０】
また、図１０に示すその他の実施例のように、口部４の前側嵌合周面に露出した沸騰サーモスイッチ３１に、蓋部５の前側嵌合周面に突出した熱伝導体２７を直接対接してもよく、上述の実施例と略同等の作用効果を奏することができる。なお、沸騰サーモスイッチ３１のスイッチ部３１ａは、操作部３０に形成したカム部３０ｂで直接押圧してＯＮ操作する。
【００６１】
この発明の構成と、上述の実施例との対応において、
この発明のヒータは、実施例のヒータ６及び主ヒータ６ａと、保温ヒータ６ｂとに対応し、
熱伝導体は、熱伝導体２４，２７，３８に対応するも、
この発明は、上述の実施例の構成のみに限定されるものではない。
【００６２】
上述の沸騰サーモスイッチ３１に対する熱伝搬時間を、例えば蒸気通路１５の通路断面積を変更したり、熱伝導体２４，２７及び熱伝導部材２６，２９の大きさ、厚み、長さ、材質を変更する等して最適な時間に可変設定してもよい。
【００６３】
また、熱伝導体２４，２７を、上述の熱伝導部材２６，２９の端部を凸状にプレス加工して形成してもよい。
【図面の簡単な説明】
【図１】  電気ポットの内部構造を示す縦断側面図。
【図２】  口部及び蓋部の注出構造を示す縦断側面図。
【図３】  沸騰サーモスイッチの配置状態を示す平面図。
【図４】  熱伝導体の対接状態を示す縦断側面図。
【図５】  電気ポットの回路図。
【図６】  熱伝導体を対接する他の実施例を示す縦断側面図。
【図７】  熱伝導体を対接するその他の実施例を示す縦断側面図。
【図８】  熱伝導体を対接するその他の実施例を示す縦断側面図。
【図９】  熱伝導体と沸騰サーモスイッチとを略垂直に対接するその他の実施例を示す縦断側面図。
【図１０】  熱伝導体と沸騰サーモスイッチとを略水平に対接するその他の実施例を示す縦断側面図。
【符号の説明】
Ａ…内容液
Ｓ…蒸気
１…電気ポット
２…ポット本体
４…口部
５…蓋部
６…ヒータ
１５…蒸気通路
２４，２７，３８…熱伝導体
３０…操作部
３１…沸騰サーモスイッチ
【図１】
0004111633.tif 000002
【図２】
0004111633.tif 000003
【図３】
0004111633.tif 000004
【図４】
0004111633.tif 000005
【図５】
0004111633.tif 000006
【図６】
0004111633.tif 000007
【図７】
0004111633.tif 000008
【図８】
0004111633.tif 000009
【図９】
0004111633.tif 000010
【図１０】
0004111633.tif 000011